(57)【要約】【課題】夜間の視認性を向上することができるようにする。【解決手段】インストルメントパネル１に引出収納可能に取付けられた収納装置本体７のインストルメントパネル１側の面に、金属調を有すると共に照明光を透過可能な加飾フィニッシャー１５を施すようにしている。【選択図】        図２
2004299544.tif 000002
【特許請求の範囲】
【請求項１】
インストルメントパネルに引出収納可能に取付けられた収納装置本体のインストルメントパネル表面側の面を、金属調を有すると共に照明光を透過可能な加飾面としたことを特徴とする車両用収納装置。
【発明の詳細な説明】
【０００１】
【発明の属する技術分野】
この発明は、車両用収納装置に関するものである。
【０００２】
【従来の技術】
自動車などの車両の室内には、カップホルダなどの収納装置が設けられている。このようなカップホルダには引出式のものがある（例えば、特許文献１参照）。
【０００３】
【特許文献１】
実用新案登録第２５８０５３０号
【０００４】
【発明が解決しようとする課題】
しかしながら、上記特許文献１に記載された車両用収納装置では、照明などを備えていないので、夜間などにその位置を認識しにくいという問題があった。
【０００５】
そこで、本発明の目的は、上記の問題点を解消し、夜間の視認性を向上することのできる車両用収納装置を提供することにある。
【０００６】
【課題を解決するための手段】
上記課題を解決するために、請求項１に記載された発明では、インストルメントパネルに引出収納可能に取付けられた収納装置本体のインストルメントパネル表面側の面を、金属調を有すると共に照明光を透過可能な加飾面とした車両用収納装置を特徴としている。
【０００７】
このように構成された請求項１にかかる発明によれば、収納装置本体のインストルメントパネル側の面に取付けた加飾フィニッシャーにより、昼間の照明光非点灯時には金属調に見え、夜間の照明光点灯時にはイルミネーション調に見えるようにすることができ、昼夜で異なる意匠を与えることができる。また、夜間にイルミネーション調に見えることにより、収納装置本体の位置に対する視認性を向上することができる。更に、夜間の照明光点灯時には収納装置本体のインストルメントパネル側の面がイルミネーション調に面発光することにより、柔らかい高級感のある照明効果を得ることができる。
【０００８】
【発明の実施の形態】
以下、本発明を具体化した実施の形態について、図示例と共に説明する。
【０００９】
図１〜図５は、この発明の実施の形態を示すものである。
【００１０】
まず、構成を説明すると、自動車などの車両には、室内の前部に、例えば、図１に示すようなインストルメントパネル１が設けられる。このインストルメントパネル１は、通常、車両後方へ向かって下り勾配となるインストルメントパネルアッパ部２と、車両前方へ向かって下り勾配となるインストルメントパネルロワ部３とを備えている。このインストルメントパネルロワ部３によって乗員のレッグスペースが確保される。
【００１１】
そして、インストルメントパネル１に対し、引出式のカップホルダなどの収納装置５を設ける。この引出式のカップホルダなどの収納装置５は、図２〜図４に示すように、インストルメントパネル１に形成した開口部に対し、インストルメントパネル１の内側から開口部に対向させて取付可能な略箱状のケース６と、このケース６に対して引出収納可能に取付けられた収納装置本体７とを備えている。この収納装置本体７は、コップやマグカップや缶飲料やペットボトルなどの飲料容器を上方から挿入してその側部を保持するための側部保持孔部８を有する枠状をしている。そして、収納装置本体７は、引出時に下方へ傾動して側部保持孔部８の下部に位置する底部支持アーム９を備えている。また、収納装置本体７は、側部保持孔部８と飲料容器との間隙を調整する可動フラップ１０を備えている。そして、収納装置本体７は、インストルメントパネル１に形成した開口部を塞ぐリッド部１１をインストルメントパネル１側の面に有している。
【００１２】
この実施の形態のものでは、インストルメントパネル１に引出収納可能に取付けられた収納装置本体７のインストルメントパネル１側の面に、金属調を有すると共に照明光を透過可能な加飾フィニッシャー１５を取付ける。
【００１３】
より具体的には、インストルメントパネルアッパ部２とインストルメントパネルロワ部３との境界部分に沿って車幅方向に金属調加飾フィニッシャー１６を設ける。そして、この金属調加飾フィニッシャー１６の両端に、上記引出式のカップホルダなどの収納装置５の加飾フィニッシャー１５を配置させて、金属調加飾フィニッシャー１６と加飾フィニッシャー１５とが一体的に連続するように構成する。
【００１４】
そして、リッド部１１を加飾フィニッシャー１５として、図５（ａ）に示すように、この加飾フィニッシャー１５を透明樹脂２１で構成し、その表面に収納装置本体７の基本色となるベース色インキ層２２を形成すると共に、その表面側に金属調インキ層２３を形成し、その表面側に必要に応じて抽象柄インキ層２４を形成し、更に、その表面側に仕上げとしてクリア塗装２５を形成する。なお、好ましくは、金属調加飾フィニッシャー１６も、加飾フィニッシャー１５と同様に、透明樹脂２１と、ベース色インキ層２２と、金属調インキ層２３と、抽象柄インキ層２４と、クリア塗装２５で構成する。
【００１５】
また、図２〜図４に示すように、ケース６の下面に小開口部２７を形成し、この小開口部２７の下部にランプケース２８を介してＬＥＤなどの照明用光源２９を取付ける。そして、収納装置本体７の裏面側にリッド部１１へ照明光を導く透明な導光板３０を設ける。この導光板３０は、閉位置で小開口部２７に位置する入射部３１と、開位置で小開口部２７に位置する入射部３２をそれぞれ有している。また、導光板３０は、リッド部１１の裏面と対向する対向部３３を有している。
【００１６】
また、対向部３３の両側には、入射部３１，３２より入射され車両前後方向後方へ導光された光束を対向部３３の両側に設けられている反射面３４により、対向部３３の内方へ光を反射させ、対向部３３を面発光させている。
【００１７】
そして、図５（ｂ）に示すように、導光板３０のリッド部１１と対向する対向部３３の表面に、透明シート３５に調光印刷３６を施してなる調光シート３７を貼付ける。また、対向部３３および導光板３０の側面や裏面などに反射用塗装３８を適宜施す。なお、好ましくは、金属調加飾フィニッシャー１６の背面にも、図示しない照明用光源からの照明光を導く透明な導光板を設けるようにする。
【００１８】
次に、この実施の形態の作用について説明する。
【００１９】
インストルメントパネル１から収納装置本体７を引出時すことにより、収納装置本体７の側部保持孔部８にコップやマグカップや缶飲料やペットボトルなどの飲料容器を上方から挿入してその側部を保持させることができる。収納装置本体７を引出した際には、底部支持アーム９が下方へ傾動して側部保持孔部８の下部に位置することにより、飲料容器の底部を保持することができる。また、可動フラップ１０が、側部保持孔部８と飲料容器との間隙を調整して飲料容器のガタ付きを防止する。
【００２０】
飲料容器の未収納時には、収納装置本体７をケース６に収納することにより、インストルメントパネル１に取付けられた金属調加飾フィニッシャー１６と加飾フィニッシャー１５とを一体的に連続させて、統一感のある意匠とすることができる。
【００２１】
昼間の照明光非点灯時には、金属調インキ層２３により、加飾フィニッシャー１５は金属調に見える。
【００２２】
夜間にＬＥＤなどの照明用光源２９を点灯すると、照明光が入射部３１，３２から導光板３０へ入射されて加飾フィニッシャー１５へと導かれることにより、加飾フィニッシャー１５はイルミネーション調に見える。
【００２３】
なお、加飾フィニッシャー１５と同様に、金属調加飾フィニッシャー１６も昼間の照明光非点灯時には金属調に見え、夜間の照明光点灯時にはイルミネーション調に見えることとなる。
【００２４】
このように、この実施の形態では、収納装置本体７のインストルメントパネル１側の面に取付けた加飾フィニッシャー１５により、昼間の照明光非点灯時には金属調に見え、夜間の照明光点灯時にはイルミネーション調に見えるようにすることができ、昼夜で異なる意匠を与えることができる。
【００２５】
また、夜間にイルミネーション調に見えることにより、収納装置本体７の位置に対する視認性を向上することができる。
【００２６】
更に、夜間の照明光点灯時には収納装置本体７のインストルメントパネル１側の面がイルミネーション調に面発光することにより、柔らかい高級感のある照明効果を得ることができる。
【００２７】
【発明の効果】
以上説明してきたように、請求項１の発明によれば、収納装置本体のインストルメントパネル表面側の面を透過照明可能な金属調加飾面としたことにより、昼間の照明光非点灯時には金属調に見え、夜間の照明光点灯時にはイルミネーション調に見えるようにすることができ、昼夜で異なる意匠を与えることができる。また、夜間にイルミネーション調に見えることにより、収納装置本体の位置に対する視認性を向上することができる。更に、夜間の照明光点灯時には収納装置本体のインストルメントパネル側の面がイルミネーション調に面発光することにより、柔らかい高級感のある照明効果を得ることができる、という実用上有益な効果を発揮し得る。
【図面の簡単な説明】
【図１】本発明の実施の形態にかかるインストルメントパネルの斜視図である。
【図２】図１の収納装置の分解斜視図である。
【図３】図２の収納時の側面図である。
【図４】図２の引出時の側面図である。
【図５】加飾フィニッシャー部分の拡大断面図である。
【符号の説明】
１    インストルメントパネル
７    収納装置本体
１５  加飾フィニッシャー
【図１】
2004299544.tif 000003
【図２】
2004299544.tif 000004
【図３】
2004299544.tif 000005
【図４】
2004299544.tif 000006
【図５】
2004299544.tif 000007